(57)【要約】【課題】溶接を行うことなく未塗工部と導電端子部との電気的な接続を確保することができる蓄電装置を提供すること。【解決手段】二次電池１０において、正電極シート２１は、正極側金属箔２１ａが露出する未塗工部２１ｃを有し、負電極シート３１は、負極側金属箔３１ａが露出する未塗工部３１ｃを有する。正極側の未塗工部２１ｃと負極側の未塗工部３１ｃとは、未塗工部側縁部２１ｄ及び未塗工部側縁部３１ｄから互いに離れて突出している。正極側の未塗工部２１ｃは、セパレータ１９を介して負極側活物質層３１ｂの縁部と正極側の導電端子部３３ａとの間に挟持されている被挟持部２１ｆを有する。また、負極側の未塗工部３１ｃは、負極側の未塗工部側縁部３１ｄと負極側の導電端子部３７ａとの間に挟持されている被挟持部３１ｆを有する。【選択図】図４
2014160614.tif 000002
【特許請求の範囲】
【請求項１】
金属箔の少なくとも一方の面に活物質層を有する第１の電極と第２の電極の間にセパレータを介在させた状態で積層して形成された電極組立体をケース内に有し、
前記第１の電極と第２の電極は、前記活物質層を有する面において前記金属箔が露出する未塗工部をそれぞれ有し、前記第１の電極と第２の電極の未塗工部は前記活物質層における未塗工部側縁部から互いに離れて突出しており、前記第１の電極と第２の電極の前記未塗工部にそれぞれ導電端子部が接続されている蓄電装置であって、
前記未塗工部は、前記活物質層の縁部と、該縁部に向き合う前記導電端子部との間に挟持されている被挟持部を有することを特徴とする蓄電装置。
【請求項２】
前記被挟持部は、前記活物質層の面に沿う方向に対し屈曲している請求項１に記載の蓄電装置。
【請求項３】
前記第１の電極と第２の電極とはそれぞれの未塗工部側縁部が前記電極組立体において反対側の面に配置されている請求項１又は請求項２に記載の蓄電装置。
【請求項４】
前記第１の電極と第２の電極は、それぞれの前記未塗工部が前記活物質層を挟んで両側に形成されており、前記第１の電極と第２の電極の未塗工部側縁部が直交するように配置されている請求項１又は請求項２に記載の蓄電装置。
【請求項５】
前記第１の電極の被挟持部は前記第２の電極の活物質層の縁部と、前記導電端子部との間に挟持されており、前記第１の電極の被挟持部と前記第２の電極の活物質層の縁部との間には前記セパレータが介在している請求項２〜請求項４のうちいずれか一項に記載の蓄電装置。
【請求項６】
前記第２の電極の被挟持部は前記第２の電極の活物質層の縁部と、前記導電端子部との間に挟持されており、前記第２の電極の未塗工部と前記第１の電極の活物質層の縁部との間には前記セパレータが介在している請求項２〜請求項５のうちいずれか一項に記載の蓄電装置。
【請求項７】
前記第１の電極は正極であり、前記第２の電極は負極である請求項１〜請求項６のうちいずれか一項に記載の蓄電装置。
【請求項８】
前記蓄電装置は二次電池である請求項１〜請求項７のうちいずれか一項に記載の蓄電装置。
【発明の詳細な説明】
【技術分野】
【０００１】
本発明は、第１の電極と第２の電極の未塗工部にそれぞれ導電端子部が接続されている蓄電装置に関する。
【背景技術】
【０００２】
蓄電装置で用いられる電極組立体は、正極電極（第１の電極）と負極電極（第２の電極）の間にセパレータを介在させた状態で積層して形成されている。例えば特許文献１の蓄電装置において、図７に示すように、素子８０は、シート状の正極８１及び負極８２を、それらの間にセパレータ８３を介在させた状態で積層して形成されている。正極８１は対向する２箇所に形成されたリード部８１ａを備え、負極８２も図示しないが、対向する２箇所に形成されたリード部を備える。また、蓄電装置は、第１フレーム８４及び第２フレーム（図示せず）を備える。第１フレーム８４と第２フレームは互いに絶縁されている。第１フレーム８４の一対の接続部８４ａには、正極８１のリード部８１ａが電気的に接続され、第２フレームの一対の接続部には、負極８２のリード部が電気的に接続されている。
【先行技術文献】
【特許文献】
【０００３】
【特許文献１】特開２０１２−６００５２号公報
【発明の概要】
【発明が解決しようとする課題】
【０００４】
ところが、特許文献１において、素子８０と第１フレーム８４及び第２フレームとの電気的な接続は、リード部８１ａと、接続部８４ａとを溶接により接合して行っている。このため、溶接の際の熱により、セパレータ８３の溶融やシャットダウンが生じたり、素子８０における活物質が加熱されて好ましくない。
【０００５】
本発明は、溶接を行うことなく未塗工部と導電端子部との電気的な接続を確保することができる蓄電装置を提供することにある。
【課題を解決するための手段】
【０００６】
上記問題点を解決するために、請求項１に記載の蓄電装置は、金属箔の少なくとも一方の面に活物質層を有する第１の電極と第２の電極の間にセパレータを介在させた状態で積層して形成された電極組立体をケース内に有し、前記第１の電極と第２の電極は、前記活物質層を有する面において前記金属箔が露出する未塗工部をそれぞれ有し、前記第１の電極と第２の電極の未塗工部は前記活物質層における未塗工部側縁部から互いに離れて突出しており、前記第１の電極と第２の電極の前記未塗工部にそれぞれ導電端子部が接続されている蓄電装置であって、前記未塗工部は、前記活物質層の縁部と、該縁部に向き合う前記導電端子部との間に挟持されている被挟持部を有することを要旨とする。
【０００７】
これによれば、活物質層の縁部と導電端子部との間に未塗工部の被挟持部が挟持されるため、未塗工部は、導電端子部に対して接触した状態が維持され、未塗工部と導電端子部との電気的な接続を確保することできる。したがって、未塗工部と導電端子部との電気的な接続を確保するために溶接を採用する必要がなく、溶接の際の熱による影響を活物質が受けることもなく、セパレータの微細な孔が遮断されてしまう（所謂シャットダウン）こともない。
【０００８】
また、蓄電装置において、前記被挟持部は、前記活物質層の面に沿う方向に対し屈曲しているのが好ましい。
これによれば、未塗工部における被挟持部が屈曲する前の形状へ復帰しようとする力により、被挟持部を導電端子部に強く押し付けることが可能になり、未塗工部を導電端子部に電気的に接続した状態を維持することできる。
【０００９】
また、前記第１の電極と第２の電極とはそれぞれの未塗工部側縁部が前記電極組立体において反対側の面に配置されていてもよい。
これによれば、第１の電極の未塗工部と、第２の電極の未塗工部とが電極組立体において反対側の面に配置される。よって、各未塗工部に接続する導電端子部も第１の電極と第２の電極とで、電極組立体において反対側の面に配置されることとなり、導電端子部の配置間違いを無くすことができる。
【００１０】
また、前記第１の電極と第２の電極は、それぞれの前記未塗工部が前記活物質層を挟んで両側に形成されており、前記第１の電極と第２の電極の未塗工部側縁部が直交するように配置されていてもよい。
【００１１】
これによれば、第１の電極と第２の電極のそれぞれにおいて、導電端子部との電気的な接続箇所を増やすことができる。
また、前記第１の電極の被挟持部は前記第２の電極の活物質層の縁部と、前記導電端子部との間に挟持されており、前記第１の電極の被挟持部と前記第２の電極の活物質層の縁部との間には前記セパレータが介在している。
【００１２】
これによれば、第１の電極の未塗工部が第２の電極の活物質層の縁部によって挟持される状態となっても、セパレータによって短絡することを防止できる。
また、前記第２の電極の被挟持部は前記第２の電極の活物質層の縁部と、前記導電端子部との間に挟持されており、前記第２の電極の未塗工部と前記第１の電極の活物質層の縁部との間には前記セパレータが介在している。
【００１３】
これによれば、第２の電極の未塗工部は、第１の電極の活物質層の縁部によって挟持できなくても第２の電極の活物質層の縁部によって確実に挟持できる。
前記第１の電極は正極であり、前記第２の電極は負極である。
【００１４】
前記蓄電装置は二次電池である。
【発明の効果】
【００１５】
本発明によれば、溶接を行うことなく未塗工部と導電端子部との電気的な接続を確保することができる。
【図面の簡単な説明】
【００１６】
【図１】第１の実施形態の二次電池を示す分解斜視図。
【図２】第１の実施形態の二次電池を示す斜視図。
【図３】電極組立体の構成要素を示す分解斜視図。
【図４】（ａ）は二次電池を示す断面図、（ｂ）は負極側の被挟持部の挟持状態を示す部分拡大断面図、（ｃ）は正極側の被挟持部の挟持状態を示す部分拡大断面図。
【図５】第２の実施形態の二次電池を示す分解斜視図。
【図６】（ａ）は正極側の被挟持部の挟持状態を示す断面図、（ｂ）は負極側の被挟持部の挟持状態を示す断面図。
【図７】背景技術を示す図。
【発明を実施するための形態】
【００１７】
（第１の実施形態）
以下、蓄電装置を二次電池に具体化した第１の一実施形態を図１〜図４にしたがって説明する。
【００１８】
図１及び図２に示すように、二次電池１０において、ケース１１には充放電要素としての電極組立体１４及び電解質としての電解液（図示略）が収容されている。ケース１１は、有底の本体部材１２と、矩形平板状の蓋部材１３とを有し、蓋部材１３と本体部材１２はレーザ溶接によって接合されている。本体部材１２は、長方形状の底板１２ａと、底板１２ａの対向する一対の短側縁から立設された短側壁１２ｂと、底板１２ａの対向する一対の長側縁から立設された長側壁１２ｃとを備える。
【００１９】
本体部材１２には、電極組立体１４を挿入するための挿入口１２ｄが開口している。また、本体部材１２の内側には、樹脂製及び有底の絶縁部材１７が収容されている。蓋部材１３は、挿入口１２ｄを閉塞する。ケース１１を構成する本体部材１２と蓋部材１３は、何れも金属製（例えば、ステンレスやアルミニウム）である。また、本実施形態の二次電池１０は、その外観が角型をなす角型電池であり、リチウムイオン電池である。電極組立体１４には、当該電極組立体１４から電気を取り出すための正極端子１５と負極端子１６が電気的に接続されている。そして、正極端子１５及び負極端子１６は、蓋部材１３を貫通してケース１１外に突出している。
【００２０】
電極組立体１４は、第１の電極としての複数の正電極シート２１と、第２の電極としての複数の負電極シート３１とが、両者を絶縁するセパレータ１９を間に介在させた状態で交互に積層されて構成されている。また、電極組立体１４は、積層方向に底板１２ａが並ぶ状態で本体部材１２内に収容されている。
【００２１】
図３に示すように、各電極シート２１，３１及びセパレータ１９はそれぞれ矩形状である。正電極シート２１は、正極側の金属箔としての矩形状の正極側金属箔（本実施形態ではアルミニウム箔）２１ａと、その正極側金属箔２１ａの両面の正極側の活物質層２１ｂ（以下、正極側活物質層２１ｂと記載する）とを有する。負電極シート３１は、負極側の金属箔としての矩形状の負極側金属箔（本実施形態では銅箔）３１ａと、その負極側金属箔３１ａの両面の負極側の活物質層３１ｂ（以下、負極側活物質層３１ｂと記載する）を有する。
【００２２】
なお、各電極シート２１，３１において、一対の長辺が各活物質層２１ｂ，３１ｂの面に沿って延びる方向を各電極シート２１，３１の長手方向とし、一対の短辺が各活物質層２１ｂ，３１ｂの面に沿って延びる方向を各電極シート２１，３１の短手方向とする。また、電極組立体１４において、各電極シート２１，３１の長手方向に沿った方向を電極組立体１４の長手方向とし、各電極シート２１，３１の短手方向に沿った方向を電極組立体１４の短手方向とする。正極側活物質層２１ｂは負極側活物質層３１ｂよりも一回り小さく形成されている。
【００２３】
正電極シート２１は、正極側活物質層２１ｂを有する両面において、正極側金属箔２１ａが露出する正極側の未塗工部２１ｃを有する。正極側活物質層２１ｂの四つの縁部のうち未塗工部２１ｃが突出する縁部を正極側の未塗工部側縁部２１ｄとする。正極側の未塗工部２１ｃは矩形であり、正極側の未塗工部側縁部２１ｄの全体に亘って設けられている。本実施形態では、正電極シート２１において、１辺のみに未塗工部２１ｃが設けられている。
【００２４】
負電極シート３１は、負極側活物質層３１ｂを有する両面において、負極側金属箔３１ａが露出する負極側の未塗工部３１ｃを有する。負極側活物質層３１ｂの四つの縁部のうち未塗工部３１ｃが突出する縁部を負極側の未塗工部側縁部３１ｄとする。負極側の未塗工部３１ｃは矩形であり、負極側の未塗工部側縁部３１ｄの全体に亘って設けられている。本実施形態では、負電極シート３１において、１辺のみに未塗工部３１ｃが設けられている。
【００２５】
図１、図４（ｂ）及び図４（ｃ）に示すように、正極側の未塗工部側縁部２１ｄは電極組立体１４の一面を構成しており、正極側の未塗工部２１ｃは、電極組立体１４の一面から突出している。負極側の未塗工部側縁部３１ｄは、電極組立体１４の一面とは反対側の他面を構成しており、負極側の未塗工部３１ｃは、電極組立体１４の他面から突出している。つまり、正極側の未塗工部側縁部２１ｄと負極側の未塗工部側縁部３１ｄは、電極組立体１４において反対側の面に配置されており、正極側の未塗工部２１ｃと負極側の未塗工部３１ｃとは互いに離れた状態で反対方向に突出している。
【００２６】
上記構成の電極組立体１４は、有底の絶縁部材１７に収容されるとともに、電極組立体１４の積層方向に底板１２ａが並ぶ状態で底板１２ａ上に支持されている。また、電極組立体１４は、負極側活物質層３１ｂと同じ広さに形成された樹脂製の支持部材３０上にセパレータ１９を介して積層されている。支持部材３０に積層されたセパレータ１９は、支持部材３０の四つの縁部を覆っている。
【００２７】
なお、図３に示すように、セパレータ１９の四つの縁部のうち、短手方向に延びる一方の縁部を第１縁部１９ａとし、他方の縁部であり、かつ第１縁部１９ａの対辺となる縁部を第２縁部１９ｂとする。また、長手方向に延びる一方の縁部を第３縁部１９ｃとし、他方の縁部であり、かつ第３縁部１９ｃの対辺となる縁部を第４縁部１９ｄとする。
【００２８】
図４（ａ）〜図４（ｃ）に示すように、複数のセパレータ１９のうち、負電極シート３１の真下に積層されたセパレータ１９は、その第１縁部１９ａが真上の負電極シート３１の負極側活物質層３１ｂよりも僅かに突出している。また、負電極シート３１の真下に積層されたセパレータ１９の第２縁部１９ｂは、真上の負電極シート３１から垂れ下がる未塗工部３１ｃの先端まで覆う長さで垂れ下がっており、真下の正電極シート２１を覆っている。
【００２９】
複数のセパレータ１９のうち、正電極シート２１の真下に積層されたセパレータ１９は、その第２縁部１９ｂが真下の負電極シート３１の負極側活物質層３１ｂよりも僅かに突出している。また、正電極シート２１の真下に積層されたセパレータ１９は、その第１縁部１９ａが、真上の正電極シート２１から垂れ下がる未塗工部２１ｃの先端まで覆う長さで垂れ下がっており、真下の負電極シート３１の端面全体を覆っている。また、支持部材３０の真上に積層されたセパレータ１９は、その第２縁部１９ｂが真上の正電極シート２１の正極側活物質層２１ｂよりも突出しており、第１縁部１９ａが、真上の正電極シート２１から垂れ下がる未塗工部２１ｃの先端までの覆う長さで垂れ下がっている。なお、支持部材３０の厚みは正電極シート２１よりも厚く、電極組立体１４の積層方向において、未塗工部２１ｃの先端は支持部材３０を超えて飛び出ない。
【００３０】
よって、複数のセパレータ１９は、電極組立体１４の一面では、積層方向に沿って第１縁部１９ａが垂れ下がった状態と、垂れ下がっていない状態が交互に繰り返され、電極組立体１４の他面では、積層方向に沿って第２縁部１９ｂが垂れ下がった状態と、垂れ下がっていない状態が交互に繰り返されている。
【００３１】
図１に示すように、全ての正極側の未塗工部２１ｃは、側面視Ｌ字状の正極側の導電部材３３における導電端子部３３ａと電気的に接続されている。正極側の導電部材３３は、矩形板状の導電端子部３３ａと、この導電端子部３３ａに対し直交する端子接続部３３ｂとを備える。端子接続部３３ｂには正極端子１５が接続されている。
【００３２】
図４（ａ）〜図４（ｃ）に示すように、正極側の導電部材３３は、電極組立体１４における正極側の未塗工部側縁部２１ｄと、この正極側の未塗工部側縁部２１ｄが向き合う一方の短側壁１２ｂとの間に配置されている。端子接続部３３ｂは、電極組立体１４に積層されるとともに、電極組立体１４と蓋部材１３との間に配設されている。  
【００３３】
正極側の未塗工部２１ｃは、未塗工部側縁部２１ｄ側で屈曲しており、屈曲部より先端側において、導電端子部３３ａの面に沿って延びるとともに、セパレータ１９の第１縁部１９ａを介して負極側活物質層３１ｂの縁部と正極側の導電端子部３３ａとの間に挟持されている被挟持部２１ｆを有している。正極側の被挟持部２１ｆと負電極シート３１とは、セパレータ１９の第１縁部１９ａによって絶縁されている。また、正極側の被挟持部２１ｆは、外面が導電端子部３３ａに押し付けられ、電気的な接続が確保されている。また、支持部材３０の真上の正電極シート２１では、負極側活物質層３１ｂの縁部の代わりに支持部材３０の端面によって未塗工部２１ｃの被挟持部２１ｆが挟持されることで電気的な接続が確保されている。
【００３４】
図１に示すように、全ての負極側の未塗工部３１ｃは、側面視Ｌ字状の負極側の導電部材３７における導電端子部３７ａと電気的に接続されている。負極側の導電部材３７は、矩形板状の導電端子部３７ａと、この導電端子部３７ａに対し直交する端子接続部３７ｂとを備える。端子接続部３７ｂには負極端子１６が接続されている。
【００３５】
図４（ａ）〜図４（ｃ）に示すように、負極側の導電部材３７は、電極組立体１４における負極側の未塗工部側縁部３１ｄと、この負極側の未塗工部側縁部３１ｄが向き合う他方の短側壁１２ｂとの間に配置されている。端子接続部３７ｂは、電極組立体１４に積層されるとともに、電極組立体１４と蓋部材１３との間に配設されている。
【００３６】
負極側の未塗工部３１ｃは、未塗工部側縁部３１ｄ側で屈曲しており、屈曲部より先端側において、導電端子部３７ａの面に沿って延びるとともに、負極側の未塗工部側縁部３１ｄ（負極側活物質層３１ｂの縁部）と負極側の導電端子部３７ａとの間に挟持されている被挟持部３１ｆを有している。なお、負極側の被挟持部３１ｆと正電極シート２１とは、セパレータ１９の第２縁部１９ｂによって絶縁されている。また、負極側の被挟持部３１ｆは、外面が導電端子部３７ａに押し付けられ、電気的な接続が確保されている。
【００３７】
次に、二次電池１０の製造方法を説明する。
まず、本体部材１２内に絶縁部材１７を収容する。次に、支持部材３０上に積層した電極組立体１４を正極側の導電端子部３３ａと負極側の導電端子部３７ａとで挟持した状態のまま絶縁部材１７内に収容する。
【００３８】
次に、二次電池１０の作用を記載する。
二次電池１０において、正極側の被挟持部２１ｆは、セパレータ１９を介して負極側活物質層３１ｂの縁部と正極側の導電端子部３３ａの間に挟持されている。また、負電側の被挟持部３１ｆは、負極側の未塗工部側縁部３１ｄと負極側の導電端子部３７ａとの間に挟持されている。よって、正極側の未塗工部２１ｃ及び負極側の未塗工部３１ｃは、それぞれ導電端子部３３ａ，３７ａに接触した状態が維持され、電気的に接続されている。
【００３９】
上記実施形態によれば、以下のような効果を得ることができる。
（１）正極側の未塗工部２１ｃは、セパレータ１９を介して負極側活物質層３１ｂの縁部と正極側の導電端子部３３ａとの間に挟持されている被挟持部２１ｆを有する。また、負極側の未塗工部３１ｃは、負極側の未塗工部側縁部３１ｄと負極側の導電端子部３７ａとの間に挟持されている被挟持部３１ｆを有する。このため、各被挟持部２１ｆ，３１ｆは、各導電端子部３３ａ，３７ａに接触した状態が維持され、電気的な接続が確保される。したがって、各未塗工部２１ｃ，３１ｃを溶接することなく各導電端子部３３ａ，３７ａに電気的に接続でき、溶接の際の熱による影響を各活物質が受けることもなく、セパレータ１９の微細な孔が遮断されてしまう（所謂シャットダウン）こともない。
【００４０】
（２）各未塗工部２１ｃ，３１ｃは、それぞれ被挟持部２１ｆ，３１ｆを有し、各被挟持部２１ｆ，３１ｆは各活物質層２１ｂ，３１ｂの面に沿う方向に対し屈曲している。このため、各被挟持部２１ｆ，３１ｆが屈曲する前の形状へ復帰しようとする力により、各被挟持部２１ｆ，３１ｆを各導電端子部３３ａ，３７ａに強く押し付けることが可能になる。よって、各被挟持部２１ｆ，３１ｆを各導電端子部３３ａ，３７ａに電気的に接続した状態を維持することできる。
【００４１】
（３）各未塗工部２１ｃ，３１ｃの先端が、各導電端子部３３ａ，３７ａに接触するのではなく、各被挟持部２１ｆ，３１ｆが各導電端子部３３ａ，３７ａに面接触する。このため、電極組立体１４と各導電端子部３３ａ，３７ａとの間の電気抵抗が低くなる。
【００４２】
（４）正極側の未塗工部側縁部２１ｄと負極側の未塗工部側縁部３１ｄは、互いに電極組立体１４において反対側の面となる位置に配置されている。このため、正極側の未塗工部２１ｃと負極側の未塗工部３１ｃは互いに離れており、異なる方向に突出している。したがって、正極側と負極側とで、正極側の導電部材３３及び負極側の導電部材３７の配置間違いを無くすことができる。
【００４３】
（５）電極組立体１４は、本体部材１２の底板１２ａ上に支持部材３０を介して支持されている。このため、支持部材３０の真上の正電極シート２１でも未塗工部２１ｃを支持部材３０と正極側の導電端子部３３ａとの間に挟持させることができる。
【００４４】
（６）各導電端子部３３ａ，３７ａで電極組立体１４を挟み込むだけで、正極側の被挟持部２１ｆと導電端子部３３ａ及び負極側の被挟持部３１ｆと導電端子部３７ａを接続できる。したがって、各被挟持部２１ｆ，３１ｆと、各導電端子部３３ａ，３７ａとの接続のため、各被挟持部２１ｆ，３１ｆを別部材で各導電端子部３３ａ，３７ａに押し付ける必要がなく、部品点数を増やすことなく接続状態を維持できる。また、各被挟持部２１ｆ，３１ｆを、各導電端子部３３ａ，３７ａに対し一枚ずつ接続する必要がなく、接続作業を簡単に行うことができる。  
【００４５】
（第２の実施形態）
次に、蓄電装置を二次電池に具体化した第２の実施形態を図５〜図６にしたがって説明する。なお、以下に説明する実施形態では、既に説明した第１の実施形態と同一構成について同一符号を付すなどして、その重複する説明を省略又は簡略する。なお、図５においては、説明を容易とするため、電極組立体１４を構成する正電極シート２１、負電極シート３１、及びセパレータ１９を所定枚ずつ図示し、残りの正電極シート２１、負電極シート３１、及びセパレータ１９については図示を省略している。
【００４６】
図５に示すように、第２の実施形態において、正極側活物質層２１ｂは、四つの縁部のうち短手方向に延びる一対の縁部それぞれに正極側の未塗工部側縁部２１ｄを備え、各未塗工部側縁部２１ｄから未塗工部２１ｃが突出している。
【００４７】
負極側活物質層３１ｂは、四つの縁部のうち長手方向に延びる一対の縁部それぞれに負極側の未塗工部側縁部３１ｄを備え、各未塗工部側縁部３１ｄから未塗工部３１ｃが突出している。よって、正極側の未塗工部側縁部２１ｄと負極側の未塗工部側縁部３１ｄとは直交するように配置されている。
【００４８】
正極側の未塗工部側縁部２１ｄは、短側壁１２ｂと対向する電極組立体１４の２面を構成しており、正極側の未塗工部２１ｃは、電極組立体１４の対向する２面から突出している。負極側の未塗工部側縁部３１ｄは、長側壁１２ｃと対向する電極組立体１４の２面を構成しており、負極側の未塗工部側縁部３１ｄは電極組立体１４の対向する２面から突出している。したがって、電極組立体１４は、一対の正極側の未塗工部２１ｃがそれぞれ本体部材１２の短側壁１２ｂに向き合い、一対の負極側の未塗工部３１ｃがそれぞれ本体部材１２の長側壁１２ｃに向き合う状態で本体部材１２内に収容されている。
【００４９】
正極側の導電部材３３は、矩形板状の端子接続部３３ｂと、この端子接続部３３ｂの一対の短辺側に対向配置された一対の導電端子部３３ａとを有する。正極側の導電部材３３において、端子接続部３３ｂには正極端子１５が接続されている。負極側の導電部材３７は、矩形板状の端子接続部３７ｂと、この端子接続部３７ｂの一対の長辺側に対向配置された一対の導電端子部３７ａとを有しており、導電部材３３とは図示しない絶縁部材で互いに絶縁されている。負極側の導電部材３７において、端子接続部３７ｂには負極端子１６が接続されている。
【００５０】
図６（ａ）及び図６（ｂ）に示すように、正極側の導電部材３３において、各導電端子部３３ａは、正極側の未塗工部側縁部２１ｄ及び負極側活物質層３１ｂの縁部と、各短側壁１２ｂとの間に配置されている。また、負極側の導電部材３７において、各導電端子部３７ａは、負極側の未塗工部側縁部３１ｄ及び正極側活物質層２１ｂの縁部と、各長側壁１２ｃとの間に配置されている。
【００５１】
正電極シート２１の真下に積層されたセパレータ１９は、第１縁部１９ａと第２縁部１９ｂが真上の正電極シート２１から垂れ下がる未塗工部２１ｃの先端まで覆う長さで垂れ下がっている。また、正電極シート２１の真下に積層されたセパレータ１９は、第３縁部１９ｃと第４縁部１９ｄが真下の負電極シート３１の負極側活物質層３１ｂよりも僅かに突出しており、真下の負電極シート３１の端面全体を覆っている。
【００５２】
また、支持部材３０の真上に積層されたセパレータ１９は、第１縁部１９ａと第２縁部１９ｂが、真上の正電極シート２１から垂れ下がる未塗工部２１ｃの先端まで覆う長さで垂れ下がっており、その第３縁部１９ｃと第４縁部１９ｄが真上の正電極シート２１の正極側活物質層２１ｂよりも突出している。
【００５３】
負電極シート３１の真下に積層されたセパレータ１９は、その第１縁部１９ａと第２縁部１９ｂが真上の負電極シート３１の負極側活物質層３１ｂよりも僅かに突出している。また、負電極シート３１の真下に積層されたセパレータ１９は、その第３縁部１９ｃと第４縁部１９ｄが、真上の負電極シート３１から垂れ下がる未塗工部３１ｃの先端まで覆う長さで垂れ下がっており、真下の正電極シート２１を覆っている。
【００５４】
正極側の未塗工部２１ｃは、未塗工部側縁部２１ｄ側で屈曲しており、屈曲部より先端側において、正極側の導電端子部３３ａの面に沿って延びるとともに、セパレータ１９の第１縁部１９ａ及び第２縁部１９ｂを介して負極側活物質層３１ｂの縁部と正極側の導電端子部３３ａとの間に挟持されている被挟持部２１ｆを有している。
【００５５】
負極側の未塗工部３１ｃは、未塗工部側縁部３１ｄ側で屈曲しており、屈曲部より先端側において、負極側の導電端子部３７ａの面に沿って延びるとともに、負極側の未塗工部側縁部３１ｄ（負極側活物質層３１ｂの縁部）と負極側の導電端子部３７ａとの間に挟持されている被挟持部３１ｆを有している。
【００５６】
したがって、第２の実施形態によれば、第１の実施形態に記載の効果に加えて以下の効果を得ることができる。
（７）正電極シート２１は正極側の未塗工部２１ｃを一対備え、正極側の被挟持部２１ｆは、それぞれ正極側の導電端子部３３ａと負極側活物質層３１ｂの縁部との間に挟持されている。また、負電極シート３１は負極側の未塗工部３１ｃを一対備え、負極側の被挟持部３１ｆは、それぞれ負極側の導電端子部３７ａと負極側の未塗工部側縁部３１ｄとの間に挟持されている。このため、各未塗工部２１ｃ，３１ｃが、第１の実施形態よりも増えても、各導電端子部３３ａ，３７ａとの接続のために溶接を必要とせず、その接続作業を簡単なものとすることができる。また、各導電端子部３３ａ，３７ａと各未塗工部２１ｃ，３１ｃとの電気的な接続箇所を増やすことができる。
【００５７】
なお、本実施形態は以下のように変更してもよい。
○  第１の実施形態において、正極側の未塗工部側縁部２１ｄに直交する正極側活物質層２１ｂの縁部のうちの一方からも未塗工部２１ｃを突出させ、正極側の未塗工部２１ｃを電極組立体１４の積層方向から見てＬ字状としてもよい。この場合、正極側の導電部材３３において、導電端子部３３ａも積層方向から見てＬ字状とする。同様に、負極側の未塗工部側縁部３１ｄに直交する負極側活物質層３１ｂの縁部のうちの一方からも未塗工部３１ｃを突出させ、負極側の未塗工部３１ｃを電極組立体１４の積層方向から見てＬ字状としてもよい。この場合、負極側の導電部材３７において、導電端子部３７ａも積層方向から見てＬ字状とする。
【００５８】
○  第１の実施形態において、正極側の未塗工部２１ｃ及び負極側の未塗工部３１ｃのいずれか一方のみを挟持する構成としてもよい。
○  第２の実施形態において、一対の正極側の未塗工部２１ｃのうち一方を削除してもよく、この場合、正極側の導電部材３３において、削除された未塗工部２１ｃと対向した導電端子部３３ａも削除する。同様に、一対の負極側の未塗工部３１ｃのうちの一方を削除してもよく、この場合、負極側の導電部材３７において、削除された未塗工部３１ｃと対向した導電端子部３７ａを削除する。
【００５９】
○  正電極シート２１において、正極側活物質層２１ｂは正極側金属箔２１ａの一面だけに設けられていてもよく、負電極シート３１において、負極側活物質層３１ｂは負極側金属箔３１ａの一面だけに設けられていてもよい。
【００６０】
○  各実施形態では、蓋部材１３から正極端子１５及び負極端子１６がケース１１外に突出する形態としたが、これに限らず、正極端子１５及び負極端子１６がケース１１外に突出する位置は適宜変更してもよい。例えば、第１の実施形態において、正極側の導電端子部３３ａに正極端子１５を接続し、負極側の導電端子部３７ａに負極端子１６を接続し、正極端子１５及び負極端子１６を本体部材１２の長側壁１２ｃからケース１１外に突出させてもよい。
【００６１】
また、第２の実施形態において、正極側の導電端子部３３ａに正極端子１５を接続し、正極端子１５を本体部材１２の短側壁１２ｂからケース１１外に突出させてもよい。負極側の導電端子部３７ａに負極端子１６を接続し、負極端子１６を本体部材１２の長側壁１２ｃからケース１１外に突出させてもよい。
【００６２】
○  各実施形態において、本体部材１２の底板１２ａから正極端子１５及び負極端子１６がケース１１外に突出するように、各導電部材３３，３７を端子接続部３３ｂ，３７ｂ側から本体部材１２内に収容する。そして、それら導電端子部３３ａ，３７ａの内側に電極組立体１４を収容し、各未塗工部２１ｃ，３１ｃの各被挟持部２１ｆ，３１ｆを挟持させてもよい。
【００６３】
○  各実施形態では、電極組立体１４の積層方向に本体部材１２の底板１２ａが並ぶように電極組立体１４を本体部材１２内に収容したが、電極組立体１４を本体部材１２に収容する方向を変更してもよい。具体的には、電極組立体１４の積層方向に本体部材１２の長側壁１２ｃが並ぶように電極組立体１４を本体部材１２内に収容してもよい。
【００６４】
○  第１の実施形態において、負電極シート３１の真下に積層されたセパレータ１９において、第１縁部１９ａは、その真下の正電極シート２１における未塗工部側縁部２１ｄを覆っていてもよい。
【００６５】
○  第２の実施形態において、負電極シート３１の真下に積層されたセパレータ１９において、第１縁部１９ａ及び第２縁部１９ｂは、その真下の正電極シート２１における未塗工部側縁部２１ｄを覆っていてもよい。
【００６６】
○  電極組立体１４を構成する正電極シート２１、及び負電極シート３１の枚数は適宜変更してもよい。
○  本発明は、蓄電装置としてのニッケル水素二次電池や、電気二重層キャパシタとして具体化してもよい。
【符号の説明】
【００６７】
１０…蓄電装置としての二次電池、１１…ケース、１４…電極組立体、１９…セパレータ、２１…第１の電極としての正電極シート、２１ａ…第１の電極の金属箔としての正極側金属箔、２１ｂ…第１の電極の活物質層としての正極側活物質層、２１ｃ…第１の電極の未塗工部、２１ｄ…第１の電極の未塗工部側縁部、２１ｆ…第１の電極の被挟持部、３１…第２の電極としての負電極シート、３１ａ…第２の電極の金属箔としての負極側金属箔、３１ｂ…第２の電極の活物質層としての負極側活物質層、３１ｃ…第２の電極の未塗工部、３１ｄ…第２の電極の未塗工部側縁部、３１ｆ…第２の電極の被挟持部、３３ａ，３７ａ…導電端子部。
【図１】
2014160614.tif 000003
【図２】
2014160614.tif 000004
【図３】
2014160614.tif 000005
【図４】
2014160614.tif 000006
【図５】
2014160614.tif 000007
【図６】
2014160614.tif 000008
【図７】
2014160614.tif 000009